(57)【要約】【課題】端末装置が省電力モードから復帰し、再度、ネットワーク接続状態に戻るまでの時間の短縮化と消費電力の低減化を図ること。【解決手段】本発明の無線通信システムは、省電力モードに移行可能な端末装置と、前記端末装置と無線で接続される基地局装置を含むネットワークと、を有する。ここで、前記端末装置は、前記省電力モードの種別ごとに、その種別の省電力モードに移行した時の自装置の前記ネットワークとの通信状態が設定可能なテーブルと、前記省電力モードに移行した場合、移行した省電力モードの種別を判定する判定部と、前記省電力モードに移行した場合、移行した省電力モードの種別について前記テーブルに設定されている通信状態に応じた状態に自身が遷移するとともに、該通信状態の情報を前記基地局装置に送信する通信部と、を有する。【選択図】図１
2010062725.tif 000002
【特許請求の範囲】
【請求項１】
省電力モードに移行可能な端末装置と、前記端末装置と無線で接続される基地局装置を含むネットワークと、を有してなる無線通信システムであって、
前記端末装置は、
前記省電力モードの種別ごとに、その種別の省電力モードに移行した時の自装置の前記ネットワークとの通信状態が設定可能なテーブルと、
前記省電力モードに移行した場合、移行した省電力モードの種別を判定する判定部と、
前記省電力モードに移行した場合、移行した省電力モードの種別について前記テーブルに設定されている通信状態に応じた状態に自身が遷移するとともに、該通信状態の情報を前記基地局装置に送信する通信部と、を有する無線通信システム。
【請求項２】
前記テーブルは、前記通信状態を休止状態に設定可能であり、
前記通信部は、前記テーブルに前記休止状態が設定されている場合、前記基地局装置との接続を維持しつつ該基地局装置との通信動作を一定時間だけ休止する、請求項２に記載の無線通信システム。
【請求項３】
前記テーブルは、前記通信状態が前記休止状態に設定される場合、前記休止状態となる休止時間もあわせて設定可能であり、
前記通信部は、前記テーブルに前記休止状態が設定され、かつ前記休止時間も設定されている場合、前記基地局装置との接続を維持しつつ、前記テーブルに設定されている休止時間だけ該基地局装置との通信動作を休止する、請求項２に記載の無線通信システム。
【請求項４】
前記基地局装置は、前記端末装置が前記休止状態となっている間、前記端末装置の情報を保持する、請求項２または３に記載の無線通信システム。
【請求項５】
前記テーブルは、前記通信状態を待ち受け状態に設定可能であり、
前記通信部は、前記テーブルに前記待ち受け状態が設定されている場合、定期的に前記基地局装置からページングを受信するとともに該基地局装置に位置情報を送信し、その他の区間では前記基地局装置との接続を切断する、請求項１から４のいずれか１項に記載の無線通信システム。
【請求項６】
前記ネットワークは、前記端末装置が前記待ち受け状態となっている間、前記端末装置の情報を保持するゲートウェイ装置をさらに含む、請求項５に記載の無線通信システム。
【請求項７】
ネットワーク内の基地局装置と無線で接続されるとともに、省電力モードに移行可能な端末装置であって、
前記省電力モードの種別ごとに、その種別の省電力モードに移行した時の自装置の前記ネットワークとの通信状態が設定可能なテーブルと、
前記省電力モードに移行した場合、移行した省電力モードの種別を判定する判定部と、
前記省電力モードに移行した場合、移行した省電力モードの種別について前記テーブルに設定されている通信状態に応じた状態に自身が遷移するとともに、該通信状態の情報を前記基地局装置に送信する通信部と、を有する端末装置。
【請求項８】
前記テーブルは、前記通信状態を休止状態に設定可能であり、
前記通信部は、前記テーブルに前記休止状態が設定されている場合、前記基地局装置との接続を維持しつつ該基地局装置との通信動作を一定時間だけ休止する、請求項７に記載の端末装置。
【請求項９】
前記テーブルは、前記通信状態が前記休止状態に設定される場合、前記休止状態となる休止時間もあわせて設定可能であり、
前記通信部は、前記テーブルに前記休止状態が設定され、かつ前記休止時間も設定されている場合、前記基地局装置との接続を維持しつつ、前記テーブルに設定されている休止時間だけ該基地局装置との通信動作を休止する、請求項８に記載の端末装置。
【請求項１０】
前記テーブルは、前記通信状態を待ち受け状態に設定可能であり、
前記通信部は、前記テーブルに前記待ち受け状態が設定されている場合、定期的に前記基地局装置からページングを受信するとともに該基地局装置に位置情報を送信し、その他の区間では前記基地局装置との接続を切断する、請求項７から９のいずれか１項に記載の端末装置。
【請求項１１】
ネットワーク内の基地局装置と無線で接続されるとともに、省電力モードに移行可能な端末装置による省電力方法であって、
前記省電力モードの種別ごとに、その種別の省電力モードに移行した時の自装置の前記ネットワークとの通信状態が設定可能なテーブルを設け、
前記省電力モードに移行した場合、
移行した省電力モードの種別を判定する判定ステップと、
移行した省電力モードの種別について前記テーブルに設定されている通信状態に自装置を遷移する状態遷移ステップと、
前記遷移した通信状態の情報を前記基地局装置に送信する通知ステップと、を有する省電力方法。
【請求項１２】
前記テーブルは、前記通信状態を休止状態に設定可能であり、
前記状態遷移ステップでは、前記テーブルに前記休止状態が設定されている場合、前記基地局装置との接続を維持しつつ該基地局装置との通信動作を一定時間だけ休止する、請求項１１に記載の省電力方法。
【請求項１３】
前記テーブルは、前記通信状態が前記休止状態に設定される場合、前記休止状態となる休止時間もあわせて設定可能であり、
前記状態遷移ステップでは、前記テーブルに前記休止状態が設定され、かつ前記休止時間も設定されている場合、前記基地局装置との接続を維持しつつ、前記テーブルに設定されている休止時間だけ該基地局装置との通信動作を休止する、請求項１２に記載の省電力方法。
【請求項１４】
前記テーブルは、前記通信状態を待ち受け状態に設定可能であり、
前記状態遷移ステップでは、前記テーブルに前記待ち受け状態が設定されている場合、定期的に前記基地局装置からページングを受信するとともに該基地局装置に位置情報を送信し、その他の区間では前記基地局装置との接続を切断する、請求項１１から１３のいずれか１項に記載の省電力方法。
【請求項１５】
ネットワーク内の基地局装置と無線で接続されるとともに、省電力モードに移行可能であり、かつ、前記省電力モードの種別ごとに、その種別の省電力モードに移行した時の自装置の前記ネットワークとの通信状態が設定可能なテーブルを設けた端末装置に、
前記省電力モードに移行した場合、
移行した省電力モードの種別を判定する判定手順と、
移行した省電力モードの種別について前記テーブルに設定されている通信状態に自装置を遷移する状態遷移手順と、
前記遷移した通信状態の情報を前記基地局装置に送信する通知手順と、を実行させるプログラム。
【請求項１６】
前記テーブルは、前記通信状態を休止状態に設定可能であり、
前記状態遷移手順では、前記テーブルに前記休止状態が設定されている場合、前記基地局装置との接続を維持しつつ該基地局装置との通信動作を一定時間だけ休止する、請求項１５に記載のプログラム。
【請求項１７】
前記テーブルは、前記通信状態が前記休止状態に設定される場合、前記休止状態となる休止時間もあわせて設定可能であり、
前記状態遷移手順では、前記テーブルに前記休止状態が設定され、かつ前記休止時間も設定されている場合、前記基地局装置との接続を維持しつつ、前記テーブルに設定されている休止時間だけ該基地局装置との通信動作を休止する、請求項１６に記載のプログラム。
【請求項１８】
前記テーブルは、前記通信状態を待ち受け状態に設定可能であり、
前記状態遷移手順では、前記テーブルに前記待ち受け状態が設定されている場合、定期的に前記基地局装置からページングを受信するとともに該基地局装置に位置情報を送信し、その他の区間では前記基地局装置との接続を切断する、請求項１５から１７のいずれか１項に記載のプログラム。
【発明の詳細な説明】
【技術分野】
【０００１】
本発明は、無線通信システム、端末装置、省電力方法、プログラムに関する。
【背景技術】
【０００２】
ＷｉＭＡＸ（Worldwide Interoperability for Microwave Access）  Ｆｏｒｕｍでは、図６に示すような無線通信システムが規定されている（例えば、特許文献１，２参照）。
【０００３】
図６を参照すると、ＷｉＭＡＸの無線通信システムは、ＳＳ／ＭＳ（Subscriber Station/Mobile Station）１０と、ＡＳＮ（Access Service Network）２０と、ＣＳＮ（Connectivity Service Network）３０と、を有している。なお、以降に用いる“ネットワーク”とは、ＡＳＮ２０およびＣＳＮ３０を合わせたものを指すものとする。
【０００４】
ＳＳ／ＭＳ１０は、ユーザが自宅や会社などで使用する、パーソナルコンピュータやＨＧＷ（Home Gate Way：ホームゲートウェイ）装置などの固定型の端末装置、または、携帯電話やＰＤＡ（Personal Digital Assistant）などの携帯型の端末装置である。
【０００５】
ＡＳＮ２０は、ＢＳ（Base Station）２１およびＡＳＮ−ＧＷ（ASN-Gateway）２２を含み、主にＷｉＭＡＸの低レイヤの機能を提供する。このＡＳＮ２０の機能は、ＮＡＰ（Network Access Provider）と呼ばれるキャリアによって提供される。
【０００６】
ＢＳ２１は、ＳＳ／ＭＳ１０と無線で接続する機能を備える基地局装置であり、電信柱や屋上などに設置され、基地局制御装置の機能を備えるＩＤＵ（Indoor Unit）と、キャリアの局舎内などに設置され、アクセスサービスゲートウェイの機能を備えるＯＤＵ（Outdoor Unit）と、から構成される。
【０００７】
ＡＳＮ−ＧＷ２２は、パケット交換機能、認証補助機能、リソース管理機能などを備えるゲートウェイ装置である。
【０００８】
ＣＳＮ３０は、ＨＡ（Home Agent）３１およびＡＡＡ（Authentication, Authorization, Accounting）サーバ３２を含み、主としてＷｉＭＡＸの高レイヤの機能やインターネットなどの外部網への接続機能を提供する。これらのＣＳＮ３０の機能は、ＮＳＰ（Network Service Provider）と呼ばれるＩＳＰ（Internet Service Provider）によって提供される。
【０００９】
ＨＡ３１は、ＳＳ／ＭＳ１０の移動管理機能を備えるサーバ装置である。
【００１０】
ＡＡＡサーバ３２は、ＳＳ／ＭＳ１０に対する認証機能、許可機能、および課金機能を備えるサーバ装置である。
【特許文献１】特開２００８−３５２４８号公報
【特許文献２】特開２００８−９２５７７号公報
【発明の開示】
【発明が解決しようとする課題】
【００１１】
ところで、ＳＳ／ＭＳ１０の中には、通常の動作状態を示す通常モードから、通常モードよりも消費電力を低減する省電力モードへの移行が可能なパワーマネージメント機能を備えるものがある。その一例としては、省電力モードとして、スタンバイモードやハイバネートモードを含むパーソナルコンピュータが挙げられる。
【００１２】
ここで、図６に示した無線通信システムにおいて、パワーマネージメント機能を備えるＳＳ／ＭＳ１０が省電力モードに移行する場合の動作について、図７を参照して説明する。なお、図７において、左側は、無線通信システムにおいて行われる処理の流れを説明するフローチャートを示し、右側は、左側のフローチャートの各ステップ時における無線通信システムのネットワーク接続状態を示している（後述の図５において同じ）。
【００１３】
また、図７においては、すでに、ＡＡＡサーバ３２によるＳＳ／ＭＳ１０に対するネットワーク接続認証が終了し、ネットワーク接続状態（すなわち、ＳＳ／ＭＳ１０とＢＳ２１間、ＢＳ２１とＡＳＮ−ＧＷ２２間、ＡＳＮ−ＧＷ２２とＣＳＮ３０間がすべて接続している状態）にあるとする（状態Ｓ２０１）。
【００１４】
図７を参照すると、状態Ｓ２０１において、ＳＳ／ＭＳ１０上での省電力モードに移行する等の操作またはイベント（最後に操作が行われてから一定時間が経過した等）の発生等により、ＳＳ／ＭＳ１０が通常モードから省電力モードに移行したとする（ステップＳ２０２）。
【００１５】
ＳＳ／ＭＳ１０においては、通常、省電力モードに移行した時のネットワークとの通信状態が、省電力モードの種別にかかわらず、ネットワーク（すなわちＢＳ２１）との接続を切断する切断状態に設定されている。
【００１６】
したがって、ＳＳ／ＭＳ１０は、省電力モードに移行すると、省電力モードの種別にかかわらず、切断状態に遷移する。そのため、無線通信システム全体として、ネットワーク切断状態（すなわち、ＳＳ／ＭＳ１０とＢＳ２１間、ＢＳ２１とＡＳＮ−ＧＷ２２間、ＡＳＮ−ＧＷ２２とＣＳＮ３０間がすべて切断されている状態）になる（ステップＳ２０３）。
【００１７】
そして、以降、ＳＳ／ＭＳ１０上で、ＳＳ／ＭＳ１０をネットワークに再エントリする等の再接続の操作が行われたとする（ステップＳ２０４）。
【００１８】
このとき、無線通信システム全体はネットワーク切断状態となっており、また、ネットワーク側では、ＳＳ／ＭＳ１０の情報（ＭＡＣアドレス等の識別情報）を保持していないため、ＳＳ／ＭＳ１０を認識することができない。したがって、ＳＳ／ＭＳ１０に対する再度の認証を行い、ＳＳ／ＭＳ１０の情報を得る必要がある。
【００１９】
そのため、ＡＡＡサーバ３２によるＳＳ／ＭＳ１０に対するネットワーク接続認証が再度行われる（ステップＳ２０５）。
【００２０】
その後、ネットワーク接続認証が終了すると、ネットワーク接続状態に戻る（ステップＳ２０６）。
【００２１】
このように、関連する無線通信システムにおいては、ＳＳ／ＭＳ１０は、通常、省電力モードに移行した時のネットワークとの通信状態が、省電力モードの種別にかかわらず、切断状態に設定されている。
【００２２】
したがって、ＳＳ／ＭＳ１０が省電力モードから通常モードへ復帰する場合、ネットワーク接続状態に戻すには、再度のネットワーク接続認証を行う必要があるため、ネットワーク接続状態に戻るまでの時間や消費電力がかかってしまうという課題がある。
【００２３】
そこで、本発明の目的は、上述した課題を解決し、端末装置が省電力モードから通常モードへ復帰してネットワーク接続状態に戻るまでの時間の短縮化と消費電力の低減化を図ることができる無線通信システム、端末装置、省電力方法、プログラムを提供することにある。
【課題を解決するための手段】
【００２４】
本発明の無線通信システムは、
省電力モードに移行可能な端末装置と、前記端末装置と無線で接続される基地局装置を含むネットワークと、を有してなる無線通信システムであって、
前記端末装置は、
前記省電力モードの種別ごとに、その種別の省電力モードに移行した時の自装置の前記ネットワークとの通信状態が設定可能なテーブルと、
前記省電力モードに移行した場合、移行した省電力モードの種別を判定する判定部と、
前記省電力モードに移行した場合、移行した省電力モードの種別について前記テーブルに設定されている通信状態に応じた状態に自身が遷移するとともに、該通信状態の情報を前記基地局装置に送信する通信部と、を有する。
【００２５】
本発明の端末装置は、
ネットワーク内の基地局装置と無線で接続されるとともに、省電力モードに移行可能な端末装置であって、
前記省電力モードの種別ごとに、その種別の省電力モードに移行した時の自装置の前記ネットワークとの通信状態が設定可能なテーブルと、
前記省電力モードに移行した場合、移行した省電力モードの種別を判定する判定部と、
前記省電力モードに移行した場合、移行した省電力モードの種別について前記テーブルに設定されている通信状態に応じた状態に自身が遷移するとともに、該通信状態の情報を前記基地局装置に送信する通信部と、を有する。
【００２６】
本発明の省電力方法は、
ネットワーク内の基地局装置と無線で接続されるとともに、省電力モードに移行可能な端末装置による省電力方法であって、
前記省電力モードの種別ごとに、その種別の省電力モードに移行した時の自装置の前記ネットワークとの通信状態が設定可能なテーブルを設け、
前記省電力モードに移行した場合、
移行した省電力モードの種別を判定する判定ステップと、
移行した省電力モードの種別について前記テーブルに設定されている通信状態に自装置を遷移する状態遷移ステップと、
前記遷移した通信状態の情報を前記基地局装置に送信する通知ステップと、を有する。
【００２７】
本発明のプログラムは、
ネットワーク内の基地局装置と無線で接続されるとともに、省電力モードに移行可能であり、かつ、前記省電力モードの種別ごとに、その種別の省電力モードに移行した時の自装置の前記ネットワークとの通信状態が設定可能なテーブルを設けた端末装置に、
前記省電力モードに移行した場合、
移行した省電力モードの種別を判定する判定手順と、
移行した省電力モードの種別について前記テーブルに設定されている通信状態に自装置を遷移する状態遷移手順と、
前記遷移した通信状態の情報を前記基地局装置に送信する通知手順と、を実行させる。
【発明の効果】
【００２８】
本発明によれば、端末装置は、省電力モードの種別ごとに、その種別の省電力モードに移行した時のネットワークとの通信状態が設定可能なテーブルを有し、省電力モードに移行した場合、移行した省電力モードの種別についてテーブルに設定されている通信状態に遷移するとともに、その通信状態の情報を基地局装置に送信する。
【００２９】
したがって、端末装置において、省電力モードに移行した時のネットワークとの通信状態を、切断状態以外の状態に設定することで、省電力モードから復帰してネットワーク接続状態に移行するまでの時間を短縮でき、また、移行時間の短縮により消費電力も低減できるという効果が得られる。
【発明を実施するための最良の形態】
【００３０】
以下に、本発明の実施の形態について図面を参照して説明する。
【００３１】
なお、本実施形態においては、ＷｉＭＡＸの無線通信システムを例に挙げて説明するが、本発明は、ＷｉＭＡＸに限らず、他の通信方式にも適用可能である。
【００３２】
また、本実施形態においては、無線通信システムの全体構成自体は、図６に示したものと同様である。
【００３３】
図１は、本実施形態のＳＳ／ＭＳ１０の構成を示すブロック図である。
【００３４】
図１を参照すると、本実施形態のＳＳ／ＭＳ１０は、ＣＰＵ（Central Processing Unit）１１と、電源供給部１２と、主記憶部１４と、入力部１５と、ＷｉＭＡＸ通信部１６と、を有している。
【００３５】
なお、図１は、本発明の本質的部分の構成要素のみを示しており、その他の構成要素、例えば、ＳＳ／ＭＳ１０が携帯電話である場合のマイクやスピーカなどは省略している。
【００３６】
ＣＰＵ１１は、ＳＳ／ＭＳ１０全体の制御を行う各種機能を備えており、例えば、電源オン時のモードの種別を判定し、その種別を電源供給部１２およびＷｉＭＡＸ通信部１６に通知する機能として判定部１１１を備えている。
【００３７】
電源供給部１２は、図２に示すように、ＳＳ／ＭＳ１０の電源オン時の各モードにおける電源供給状態および電源オフ時における電源供給状態が設定された電源供給状態テーブル１３を備えており、電源供給状態テーブル１３に設定されている電源供給状態に応じて、ＳＳ／ＭＳ１０内の各構成要素に電源を供給する。なお、電源供給状態テーブル１３には電源供給状態が予め設定されている。また、図１において、電源供給部１２から各構成要素への電源線は省略している。
【００３８】
図２に示すように、本実施形態のＳＳ／ＭＳ１０は、省電力モードとして、省電力モードＡとＢの２種類に移行可能なパワーマネージメント機能を備えている。
【００３９】
ここで、省電力モードＡは、ＣＰＵ１１、主記憶部１４、およびＷｉＭＡＸ通信部１６に対してのみ電源を供給するモードであり、省電力モードＢは、ＷｉＭＡＸ通信部１６に対してのみ電源を供給するモードであるとする。ただし、省電力モードＡ，Ｂはあくまで一例であり、その他の省電力モード（例えば、パーソナルコンピュータにおけるスタンバイモードやハイバネートモードなど）とすることも本発明においては当然に可能である。
【００４０】
主記憶部１４は、各種の情報を記憶する。
【００４１】
入力部１５は、各種の操作が行われる。
【００４２】
ＷｉＭＡＸ通信部１６は、ＢＳ２１と無線で接続し、通信を行う。
【００４３】
また、ＷｉＭＡＸ通信部１６は、図３に示すように、ＳＳ／ＭＳ１０の電源オン時の各モードにおけるネットワークとの通信状態および電源オフ時におけるネットワークとの通信状態が設定されたネットワーク通信状態テーブル１７を備えており、ネットワーク通信状態テーブル１７に設定されている通信状態に応じた状態に自身が遷移する。それにより、ＳＳ／ＭＳ１０がネットワーク通信状態テーブル１７に設定されている通信状態に遷移することになる。また、ＷｉＭＡＸ通信部１６は、ＳＳ／ＭＳ１０が遷移した通信状態の情報をＢＳ２１に送信する。
【００４４】
図３に示すように、本実施形態のＳＳ／ＭＳ１０は、省電力モードの種別ごとに、その種別の省電力モードに移行した時の通信状態として、Ｉｄｌｅ状態（待ち受け状態）、Ｓｌｅｅｐ状態（休止状態）、および切断状態の３つが、ユーザにより設定可能となっている。
【００４５】
そのために、本実施形態においては、ＣＰＵ１１は、省電力モードの種別ごとの通信状態を設定可能とするＵＩ（User Interface）を備えており、また、そのＵＩを入力部１５により操作可能としている。
【００４６】
そして、ＷｉＭＡＸ通信部１６は、図４に示すように、ユーザにより通信状態が設定されると、その内容にネットワーク通信状態テーブル１７を書き替える。なお、図４においては、ユーザにより、省電力モードＡではＳｌｅｅｐ状態に、省電力モードＢではＩｄｌｅ状態にそれぞれ設定されている。また、Ｓｌｅｅｐ状態に設定する場合、Ｓｌｅｅｐ時間もあわせて設定可能になっている（図４の例では、Ｘフレーム分の時間）。
【００４７】
ただし、ネットワーク通信状態テーブル１７には、省電力モードの種別ごとに、デフォルトの通信状態が予め設定されており、ＷｉＭＡＸ通信部１６は、ユーザ設定がない場合はデフォルトの通信状態に応じた状態に自身が遷移するものとする。
【００４８】
ここで、Ｉｄｌｅ状態、Ｓｌｅｅｐ状態、切断状態の各々について説明する。
（１）Ｉｄｌｅ状態
Ｉｄｌｅ状態とは、ＷｉＭＡＸ通信部１６が、定期的に、ＢＳ２１から、自装置宛てのデータの受信の有無を確認するためのページングを受信するとともに位置情報をＢＳ２１に送信し、この送受信以外の区間ではＢＳ２１との接続を切断する状態である。なお、ＳＳ／ＭＳ１０がＩｄｌｅ状態に遷移しても、上位ネットワーク層に影響はなく、ＢＳ２１とＡＳＮ−ＧＷ２２間、ＡＳＮ−ＧＷ２２とＣＳＮ３０間は接続されたままである。
【００４９】
したがって、ＳＳ／ＭＳ１０がＩｄｌｅ状態にある間、そのＳＳ／ＭＳ１０に割り当てていた帯域を他のＳＳ／ＭＳ１０に割り当てることも可能であるため、帯域が無駄になるのを回避することができる。
【００５０】
ＷｉＭＡＸ通信部１６は、ＳＳ／ＭＳ１０がＩｄｌｅ状態にある間に、自装置宛てのデータがＢＳ２１に受信されたことをページングにより確認すると、その時点でＳＳ／ＭＳ１０の通常モードに応じた状態に遷移し、それにより、ＳＳ／ＭＳ１０が通常モードに復帰する。さらに、ＷｉＭＡＸ通信部１６は、ＳＳ／ＭＳ１０が通常モードに復帰したことをＢＳ２１に通知し、それにより無線通信システム全体がネットワーク接続状態に戻り、ＢＳ２１から自装置宛てのデータを受信する。このとき、ＷｉＭＡＸ通信部１６は、定期的に位置情報を送信しているため、他のＢＳ２１の配下に移動した場合であっても、自装置宛てのデータを受信できる。
【００５１】
また、ＡＳＮ−ＧＷ２２は、ＳＳ／ＭＳ１０がＩｄｌｅ状態にある間、ＡＡＡサーバ３２によるネットワーク接続認証によって得られたＳＳ／ＭＳ１０の情報（ＭＡＣアドレス等の識別情報）を保持する。
【００５２】
したがって、ＳＳ／ＭＳ１０が、上述のようにＩｄｌｅ状態から通常モードへ復帰した場合、ＡＳＮ−ＧＷ２２でＳＳ／ＭＳ１０の情報を保持しているため、この保持された情報により、ネットワーク側では、ＳＳ／ＭＳ１０を認識することができ、それにより、ネットワーク接続状態に戻る場合の再度のネットワーク接続認証を省略できる。
【００５３】
このように、ＳＳ／ＭＳ１０において、ある種別の省電力モードに移行した時の通信状態をＩｄｌｅ状態に設定しておけば、再度のネットワーク接続認証を省略できるため、再度のネットワーク接続認証を行う場合と比較すると、省電力モードから通常モードへ復帰してネットワーク接続状態に移行するまでの時間を短縮でき、また、移行時間の短縮により消費電力も低減できる。さらに、帯域が無駄になるのを回避することができる。
（２）Ｓｌｅｅｐ状態
Ｓｌｅｅｐ状態とは、ＷｉＭＡＸ通信部１６が、ＢＳ２１との接続を維持しつつＢＳ２１との通信動作を一定のＳｌｅｅｐ時間（休止時間）だけ休止する状態である。なお、ＳＳ／ＭＳ１０がＳｌｅｅｐ状態に遷移しても、上位ネットワーク層に影響はなく、ＢＳ２１とＡＳＮ−ＧＷ２２間、ＡＳＮ−ＧＷ２２とＣＳＮ３０間は接続されたままである。
【００５４】
なお、ネットワーク通信状態テーブル１７は、Ｓｌｅｅｐ状態に設定する場合のデフォルトのＳｌｅｅｐ時間が予め設定されているが、このＳｌｅｅｐ時間は、上述のようにユーザ設定可能である。ＷｉＭＡＸ通信部１６は、Ｓｌｅｅｐ時間がユーザ設定されている場合はそのＳｌｅｅｐ時間だけ通信動作を休止し、Ｓｌｅｅｐ時間がユーザ設定されていない場合はデフォルトのＳｌｅｅｐ時間だけ通信動作を休止するものとする。
【００５５】
ＷｉＭＡＸ通信部１６は、ＳＳ／ＭＳ１０がＳｌｅｅｐ状態になってからＳｌｅｅｐ時間が経過すると、その時点でＳＳ／ＭＳ１０の通常モードに応じた状態に遷移し、それにより、ＳＳ／ＭＳ１０が通常モードに復帰する。さらに、ＷｉＭＡＸ通信部１６は、ＳＳ／ＭＳ１０が通常モードに復帰したことをＢＳ２１に通知し、それにより無線通信システム全体がネットワーク接続状態に戻る。
【００５６】
また、ＢＳ２１は、ＳＳ／ＭＳ１０がＳｌｅｅｐ状態にある間、Ｉｄｌｅ状態時にＡＳＮ−ＧＷ２２が保持していたものと同様のＳＳ／ＭＳ１０の情報を保持する。
【００５７】
したがって、ＳＳ／ＭＳ１０が、上述のようにＳｌｅｅｐ状態から通常モードへ復帰した場合、ＢＳ２１でＳＳ／ＭＳ１０の情報を保持しているため、この保持された情報により、ネットワーク側では、ＳＳ／ＭＳ１０を認識することができ、それにより、ネットワーク接続状態に戻る場合の再度のネットワーク接続認証を省略できる。
【００５８】
このように、ＳＳ／ＭＳ１０において、ある種別の省電力モードに移行した時の通信状態をＳｌｅｅｐ状態に設定しておけば、ＢＳ２１との接続が維持され、かつ再度のネットワーク接続認証を省略できるため、Ｉｄｌｅ状態に設定する場合と比較すると、省電力モードから通常モードへ復帰してネットワーク接続状態に移行するまでの時間をさらに短縮でき、また、移行時間の短縮により消費電力もさらに低減できる。
（３）切断状態
切断状態とは、ＷｉＭＡＸ通信部１６が、ＢＳ２１との接続を切断する状態である。ＳＳ／ＭＳ１０が切断状態に遷移すると、ＢＳ２１とＡＳＮ−ＧＷ２２間、ＡＳＮ−ＧＷ２２とＣＳＮ３０間の接続も切断され、ネットワーク切断状態になる。
【００５９】
ＷｉＭＡＸ通信部１６は、ＳＳ／ＭＳ１０上で、ＳＳ／ＭＳ１０をネットワークに再エントリする等の再接続の操作が行われると、その時点でＳＳ／ＭＳ１０の通常モードに応じた状態に遷移し、それにより、ＳＳ／ＭＳ１０が通常モードに復帰する。この場合、ネットワーク側では、ＳＳ／ＭＳ１０の情報が保持されていないため、ネットワーク接続状態に移行するには、再度のネットワーク接続認証が必要となる。
【００６０】
以下、本実施形態の無線通信システムにおいて、ＳＳ／ＭＳ１０が省電力モードに移行する場合の動作について、図５を参照して説明する。
【００６１】
なお、図５においては、すでに、ＡＡＡサーバ３２によるＳＳ／ＭＳ１０に対するネットワーク接続認証が終了し、ネットワーク接続状態にあるとする（状態Ｓ１０１）。
【００６２】
図５を参照すると、状態Ｓ１０１において、ＳＳ／ＭＳ１０上での省電力モードに移行する等の操作またはイベント（最後に操作が行われてから一定時間が経過した等）の発生等により、ＳＳ／ＭＳ１０が通常モードから省電力モードに移行したとする（ステップＳ１０２）。
【００６３】
すると、ＳＳ／ＭＳ１０においては、ＣＰＵ１１の判定部１１１は、移行した省電力モードの種別を、上述の操作またはイベントの内容等に応じて判定し、その判定結果を電源供給部１２およびＷｉＭＡＸ通信部１６に通知する（ステップＳ１０３）。これを受けて、電源供給部１２は、移行した省電力モードの種別について電源供給状態テーブル１３に設定されている電源供給状態を確認し、これに従ってＳＳ／ＭＳ１０内の各構成要素に電源を供給する。
【００６４】
また、ＷｉＭＡＸ通信部１６は、移行した省電力モードの種別についてネットワーク通信状態テーブル１７に設定されているネットワークとの通信状態を確認する（ステップＳ１０４）。
【００６５】
ステップＳ１０４において、ネットワークとの通信状態が切断状態に設定されている場合、ＷｉＭＡＸ通信部１６は、ＢＳ２１との接続を切断する状態に遷移し、ＳＳ／ＭＳ１０が切断状態に遷移した旨の情報をＢＳ２１に送信する（ステップＳ１０５）。これを受けて、無線通信システム全体がネットワーク切断状態になる。
【００６６】
そして、以降、図７のステップＳ２０４〜Ｓ２０６と同様のステップＳ１０６〜Ｓ１０８の処理が行われる。
【００６７】
また、ステップＳ１０４において、ネットワークとの通信状態がＳｌｅｅｐ状態に設定されている場合、ＷｉＭＡＸ通信部１６は、ＢＳ２１との接続を維持しつつＢＳ２１との通信動作を一定のＳｌｅｅｐ時間だけ休止する状態に遷移し、ＳＳ／ＭＳ１０がＳｌｅｅｐ状態に遷移した旨の情報をＢＳ２１に送信する（ステップＳ１０９）。ＳＳ／ＭＳ１０がＳｌｅｅｐ状態にある間は、上位ネットワーク層の接続状態は維持され、ＢＳ２１でＳＳ／ＭＳ１０の情報が保持される。
【００６８】
そして、以降、上記のＳｌｅｅｐ時間が経過すると、ＳＳ／ＭＳ１０がＳｌｅｅｐ状態から通常モードの状態に復帰する（ステップＳ１１０）。このとき、ＢＳ２１でＳＳ／ＭＳ１０の情報が保持されているため、この保持された情報により、ネットワーク側では、ＳＳ／ＭＳ１０を認識することができる。よって、再度のネットワーク接続認証を行うことなく、ネットワーク接続状態に移行することが可能となる（ステップＳ１１１）。
【００６９】
また、ステップＳ１０４において、ネットワークとの通信状態がＩｄｌｅ状態に設定されている場合、ＷｉＭＡＸ通信部１６は、定期的にＢＳ２１からページングを受信するとともに位置情報をＢＳ２１に送信し、この送受信以外の区間ではＢＳ２１との接続を切断する状態に遷移し、ＳＳ／ＭＳ１０がＩｄｌｅ状態に遷移した旨の情報をＢＳ２１に送信する（ステップＳ１１２）。ＳＳ／ＭＳ１０がＩｄｌｅ状態にある間は、上位ネットワーク層の接続状態は維持され、ＡＳＮ−ＧＷ２２でＳＳ／ＭＳ１０の情報が保持される。
【００７０】
そして、以降、ＷｉＭＡＸ通信部１６は、自装置宛てのデータがＢＳ２１に受信されたことをページングにより確認すると、Ｉｄｌｅ状態から通常モードの状態に復帰する（ステップＳ１１３）。このとき、ＡＳＮ−ＧＷ２２でＳＳ／ＭＳ１０の情報が保持されているため、この保持された情報により、ネットワーク側では、ＳＳ／ＭＳ１０を認識することができる。よって、再度のネットワーク接続認証を行うことなく、ネットワーク接続状態に移行することが可能となる（ステップＳ１１４）。
【００７１】
上述したように本実施形態においては、ＳＳ／ＭＳ１０は、省電力モードの種別ごとに、その種別の省電力モードに移行した時のネットワークとの通信状態が設定可能なネットワーク通信状態テーブル１７を有し、省電力モードに移行した場合、移行した省電力モードの種別についてネットワーク通信状態テーブル１７に設定されている通信状態に遷移するとともに、その通信状態の情報をＢＳ２１に送信する。
【００７２】
したがって、ネットワーク通信状態テーブル１７に、省電力モードに移行した時のネットワークとの通信状態を、切断状態以外の状態に設定することで、省電力モードから通常モードに復帰してネットワーク接続状態に移行するまでの時間を短縮でき、また、移行時間の短縮により消費電力も低減できる。
【００７３】
例えば、ネットワーク通信状態テーブル１７に、ネットワークとの通信状態をＩｄｌｅ状態に設定すれば、ＳＳ／ＭＳ１０の情報をＡＳＮ−ＧＷ２２に保持させることで再度のネットワーク接続認証を省略できるため、再度のネットワーク接続認証を行う場合と比較すると、ネットワーク接続状態に移行するまでの時間の短縮化と消費電力の低減化を図ることができる。さらに、帯域を他のＳＳ／ＭＳ１０に割り当てることができるため、帯域が無駄になるのを回避することができる。
【００７４】
または、ネットワーク通信状態テーブル１７に、ネットワークとの通信状態をＳｌｅｅｐ状態に設定すれば、ＢＳ２１との接続を維持され、かつ、ＳＳ／ＭＳ１０の情報をＢＳ２１に保持させることで再度のネットワーク接続認証を省略できるため、Ｉｄｌｅ状態に設定する場合と比較すると、ネットワーク接続状態に移行するまでの時間のさらなる短縮化と消費電力のさらなる低減化を図ることができる。
【００７５】
また、本発明のＳＳ／ＭＳ１０にて行われる方法は、コンピュータに実行させるためのプログラムに適用してもよい。また、そのプログラムを記憶媒体に格納することも可能であり、ネットワークを介して外部に提供することも可能である。
【図面の簡単な説明】
【００７６】
【図１】本発明の一実施形態の無線通信システムにおけるＳＳ／ＭＳの構成を示すブロック図である。
【図２】図１に示した電源供給状態テーブルの設定内容を説明する図である。
【図３】図１に示したネットワーク通信状態テーブルを説明する図である。
【図４】図１に示したネットワーク通信状態テーブルの設定内容を説明する図である。
【図５】本発明の一実施形態の無線通信システムにおいて、ＳＳ／ＭＳが省電力モードに移行する場合の動作を説明する図である。
【図６】無線通信システムの全体構成を示す図である。
【図７】関連する無線通信システムにおいて、ＳＳ／ＭＳが省電力モードに移行する場合の動作を説明する図である。
【符号の説明】
【００７７】
１０    ＳＳ／ＭＳ
１１    ＣＰＵ
１１１    判定部
１２    電源供給部
１３    電源供給状態テーブル
１４    主記憶部
１５    入力部
１６    ＷｉＭＡＸ通信部
１７    ネットワーク通信状態テーブル
２０    ＡＳＮ
２１    ＢＳ
２２    ＡＳＮ−ＧＷ
３０    ＣＳＮ
３１    ＨＡ
３２    ＡＡＡサーバ
【図１】
2010062725.tif 000003
【図２】
2010062725.tif 000004
【図３】
2010062725.tif 000005
【図４】
2010062725.tif 000006
【図５】
2010062725.tif 000007
【図６】
2010062725.tif 000008
【図７】
2010062725.tif 000009